(57)【要約】【課題】ハウジングに組み付けられたリテーナが仮係止位置から本係止位置へ誤って移動してしまうのを防止する。【解決手段】電気コネクタ・アセンブリは、ハウジング２０に収容されるサブ・アセンブリ３０と、サブ・アセンブリ３０の抜け止めを行うリテーナ４０を備える。リテーナ４０は、サブ・アセンブリ３０の挿入を許容する仮係止位置と、サブ・アセンブリ３０の挿入方向と交差する向きに押込まれることで、サブ・アセンブリを抜け止めする本係止位置と、に保持される。ハウジング２０は、仮係止位置から、前記挿入方向と交差する向きにリテーナ４０が押込まれるのを規制するが、挿入方向への移動を許容するリテーナ支持体２６を備える。【選択図】図１
2014035889.tif 000002
【特許請求の範囲】
【請求項１】
収容キャビティと、前記収容キャビティと連通するリテーナ収容間口と、を備えるハウジングと、
前記収容キャビティに収容されるサブ・アセンブリと、
前記リテーナ収容間口に配置されるリテーナと、を備え、
前記リテーナが、
前記サブ・アセンブリの挿入を許容する仮係止位置と、
前記サブ・アセンブリの挿入方向と交差する向きに押込まれることで、前記サブ・アセンブリを抜け止めする本係止位置と、に保持される電気コネクタ・アセンブリであって、
前記ハウジングの前記リテーナ収容間口は、
前記仮係止位置から、前記挿入方向と交差する向きに前記リテーナが押込まれるのを規制するが、前記挿入方向への移動を許容するリテーナ支持体を備える、
ことを特徴とする電気コネクタ・アセンブリ。
【請求項２】
前記リテーナは、
前記収容キャビティに挿入される前記サブ・アセンブリから荷重を受けて前記仮係止位置から前記挿入方向に押され、前記リテーナ支持体による支持が解除される本係止準備位置に移動する、
請求項１に記載の電気コネクタ・アセンブリ。
【請求項３】
前記リテーナは、前記サブ・アセンブリから荷重を受ける受け面を備え、
前記サブ・アセンブリは、前記受け面に荷重を作用させる作用体を備える、
請求項２に記載の電気コネクタ・アセンブリ。
【請求項４】
前記リテーナは、
前記仮係止位置及び前記本係止位置において前記ハウジングに係止されるロック爪を備え、
前記ハウジングは、
前記仮係止位置及び前記本係止準備位置において前記ロック爪が係止される仮係止溝と、
前記本係止位置において前記ロック爪が係止される本係止溝と、を備える、
請求項２又は３に記載の電気コネクタ・アセンブリ。
【請求項５】
リテーナが、
サブ・アセンブリの挿入を許容する仮係止位置と、
サブ・アセンブリの挿入方向と交差する向きに押込まれることで、サブ・アセンブリを抜け止めする本係止位置と、に保持される電気コネクタ・アセンブリに用いられるハウジングであって、
前記ハウジングは、
収容キャビティと、前記収容キャビティと連通し、前記リテーナが収容されるリテーナ収容間口と、を備え、
前記リテーナ収容間口は、
前記仮係止位置から、前記挿入方向と交差する向きに前記リテーナが押込まれるのを規制するが、前記挿入方向への移動を許容するリテーナ支持体を備える、
ことを特徴とするハウジング。
【発明の詳細な説明】
【技術分野】
【０００１】
本発明は、コネクタ・ハウジング内に電気コネクタの要素を固定して抜け止めするリテーナを備える電気コネクタに関するものである。
【背景技術】
【０００２】
電気コネクタ（以下、単にコネクタ）は、コネクタハウジング（以下、単にハウジング）に対してコネクタ要素が係止されるのを保証又は強化するために、ハウジングとは別体のロック部材であるリテーナを用いることが種々の用途のコネクタにおいて広く適用されている（例えば、特許文献１）。リテーナに係止される要素としては、サブ・アセンブリ（または、インナ・ハウジング）などと称される端子金具を収容・保持する筐体の場合もあれば、端子金具自体であることもある。
ハウジングの仮係止位置にリテーナが組み付けられた状態で、例えばサブ・アセンブリをハウジングの収容空間に挿入する。その後、リテーナを本係止位置に移動して、リテーナでサブ・アセンブリを係止させることで、サブ・アセンブリは抜け止めされる。
【０００３】
従来のコネクタでは、仮係止位置に組み付けられたリテーナを、ハウジングの内部に向けて押し込むことによって本係止位置へ移動させるようになっている。そのため、コネクタを搬送する途中で、リテーナが不可抗力により誤って押されて本係止位置まで押し込まれてしまうおそれがある。このようにリテーナが本係止位置に押込まれた状態では、サブ・アセンブリなどの被係止要素を挿入できないので、リテーナを仮係止位置へ戻すという余分な作業が必要となり、作業効率を低下させる。
【先行技術文献】
【特許文献】
【０００４】
【特許文献１】特開平９−１２９３０７号公報
【発明の概要】
【発明が解決しようとする課題】
【０００５】
本発明は、このような課題に基づいてなされたもので、ハウジングに組み付けられたリテーナが仮係止位置から本係止位置へ誤って移動してしまうのを防止すること、さらには、リテーナを本係止位置に押し込むまでの工数を低減できる電気コネクタを提供することを目的とする。
【課題を解決するための手段】
【０００６】
かかる目的のもとになされた本発明の電気コネクタ・アセンブリは、ハウジングと、サブ・アセンブリと、リテーナと、を備えることを前提とする。このハウジングは、収容キャビティと、収容キャビティと連通するリテーナ収容間口と、を備える。またサブ・アセンブリは、ハウジングの収容キャビティに収容される。リテーナは、リテーナ収容間口に配置される。このリテーナは、サブ・アセンブリの挿入を許容する仮係止位置と、サブ・アセンブリの挿入方向と交差する向きに押込まれることで、サブ・アセンブリを抜け止めする本係止位置と、に選択的に保持される。
本発明は、リテーナ収容間口が、仮係止位置から、挿入方向と交差する向きにリテーナが押込まれるのを規制するが、挿入方向への移動を許容するリテーナ支持体を備えることを特徴とする。
本発明によれば、仮係止位置にあるリテーナを支持するリテーナ支持体をハウジングが備えているので、誤ってリテーナが本係止位置に押込まれるおそれがない。
【０００７】
本発明の電気コネクタ・アセンブリにおいて、リテーナは、収容キャビティに挿入されるサブ・アセンブリから荷重を受けて仮係止位置から挿入方向に押され、リテーナ支持体による支持が解除される本係止準備位置に移動することが好ましい。
本発明によれば、サブ・アセンブリを挿入する作業に伴って、リテーナ支持体による支持が解除されるとともに、仮係止位置にあるリテーナが本係止準備位置に移動する。したがって、本発明によれば、サブ・アセンブリの組み付け作業が、サブ・アセンブリの挿入、及び、リテーナを本係止準備位置から本係止位置への移動、という二つのステップで足りるので、効率がよい。
【０００８】
本発明の電気コネクタ・アセンブリは、リテーナが、サブ・アセンブリから荷重を受ける受け面を備える一方、サブ・アセンブリが、受け面に荷重を作用させる作用体を備えることができる。このように荷重が作用する部位を特定することにより、サブ・アセンブリからリテーナへの荷重の伝達を確実に行なうことができる。
【０００９】
本発明の電気コネクタ・アセンブリは、リテーナが、仮係止位置及び本係止位置においてハウジングに係止されるロック爪を備え、また、ハウジングが、仮係止位置及び本係止準備位置においてロック爪が係止される仮係止溝と、本係止位置においてロック爪が係止される本係止溝と、を備えることが好ましい。この形態によれば、仮係止位置から本係止準備位置にリテーナが移動する際に、ロック爪が仮係止溝に沿って移動することになる。つまり、本発明の仮係止溝は、リテーナの移動を案内するガイドの役割を果たすので、リテーナの安定した移動を確保できる。
【００１０】
本発明は、ハウジング単体としても提供される。つまり本発明のハウジングは、サブ・アセンブリの挿入を許容する仮係止位置と、サブ・アセンブリの挿入方向と交差する向きに押込まれることで、サブ・アセンブリを抜け止めする本係止位置と、にリテーナが保持され、サブ・アセンブリが収容される収容キャビティと、収容キャビティと連通し、リテーナが収容されるリテーナ収容間口と、を備えることを前提とする。本発明によるリテーナ収容間口は、仮係止位置から、挿入方向と交差する向きにリテーナが押込まれるのを規制するが、挿入方向への移動を許容するリテーナ支持体を備えることを特徴とする。
【発明の効果】
【００１１】
本発明によれば、仮係止位置にあるリテーナが支持されるリテーナ支持体をハウジングが備えているので、リテーナが誤って本係止位置に押込まれるおそれがない。したがって、本発明によれば、リテーナを仮係止位置へ戻すという余分な作業が発生しない。
また、本発明によれば、サブ・アセンブリを挿入する作業に伴って、リテーナ支持体による支持が解除されるとともに、仮係止位置にあるリテーナが本係止準備位置に移動する。したがって、本発明によれば、組み付け作業が、サブ・アセンブリの挿入、及び、リテーナを本係止準備位置から本係止位置への移動、という二つのステップで足りるので、効率がよい。
【図面の簡単な説明】
【００１２】
【図１】リテーナが本係止位置に保持された本実施の形態による電気コネクタ・アセンブリの斜視図である。
【図２】リテーナが除かれた本実施の形態による電気コネクタ・アセンブリを示す斜視図である。
【図３】本実施形態によるリテーナを示す斜視図であり、（ａ）は倒立状態を、（ｂ）は正立状態を示している。
【図４】本実施形態によるサブ・アセンブリとリテーナを対比して示す斜視図である。
【図５】リテーナが仮係止位置に保持された本実施の形態による電気コネクタ・アセンブリの斜視図である。
【図６】リテーナが仮係止位置に保持されたコネクタ・ハウジングと、挿入前のサブ・アセンブリとを対応して示し、（ａ）は（ｂ）の６ｂ−６ｂ線断面図であり、（ｂ）は側面図である。
【図７】サブ・アセンブリがコネクタ・ハウジングに挿入され、リテーナが本係止位置に保持された本実施の形態による電気コネクタ・アセンブリを示し、（ａ）は（ｂ）の７ｂ−７ｂ線断面図であり、（ｂ）は側面図である。
【発明を実施するための形態】
【００１３】
以下、添付図面に示す実施の形態に基づいてこの発明を詳細に説明する。
本実施形態による図１及び図２に示すように、電気コネクタ・アセンブリ（以下、単にアセンブリ）１０は、コネクタ・ハウジング（以下、単にハウジング）２０と、ハウジング２０に収容されるサブ・アセンブリ３０と、本係止位置においてハウジング２０に保持されることで、サブ・アセンブリ３０がハウジング２０から抜け出るのを阻止するリテーナ４０と、を備えている。
【００１４】
通常、リテーナ４０が仮係止位置に保持されたハウジング２０とサブ・アセンブリ３０とが分離された状態で、ハウジング２０とサブ・アセンブリ３０の製造元からそれを機器に組み込むユーザに搬送される。ユーザは、サブ・アセンブリ３０をハウジング２０に挿入した後に、サブ・アセンブリ３０の挿入方向に直交する向きにリテーナ４０を押込んで仮係止位置から本係止位置に移動させる。仮に、サブ・アセンブリ３０がハウジング２０に挿入される前に、誤ってリテーナ４０が本係止位置に移動してしまうと、リテーナ４０を仮係止位置に戻す無駄な作業が必要となる。本実施形態のアセンブリ１０は、サブ・アセンブリ３０がハウジング２０に挿入されるまでは、リテーナ４０が本係止位置に移動するのを規制することで、この無駄な作業を排除する。
【００１５】
＜ハウジング２０＞
ハウジング２０は、絶縁性の樹脂を射出成形することで形成された外形が直方体状のハウジング本体２１と、ハウジング本体２１の長手方向Ｘの一端側に設けられ、図示を省略する相手側の電気コネクタ（以下、相手コネクタ）を受け入れる前側開口２２と、前記長手方向の他端側に設けられ、サブ・アセンブリ３０が挿入される後側開口２３と、前側開口２２と後側開口２３とを貫通する収容キャビティ２４と、を備える。サブ・アセンブリ３０は、後側開口２３からハウジング２０に挿入され、収容キャビティ２４の所定位置においてハウジング２０に収容、保持される。
【００１６】
ハウジング本体２１は、互いに対向する上壁２１Ａ，下壁２１Ｃと、上壁２１Ａと下壁２１Ｃの幅方向Ｙの両縁を繋ぐ一対の側壁２１Ｂ，２１Ｄとを備えている。
上壁２１Ａには、長手方向ｘの中央よりも後側開口２３寄りに、矩形のリテーナ収容間口２５が形成されている。リテーナ収容間口２５は、上壁２１Ａの表裏を貫通し、収容キャビティ２４と外部を連通している。リテーナ収容間口２５は、前側開口２２に近い側の前縁２５Ａと、後側開口２３に近い側の後縁２５Ｂと、を備えており、後縁２５Ｂには、前縁２５Ａに向けて突出するリテーナ支持体２６が形成されている。
【００１７】
リテーナ収容間口２５は、リテーナ支持体２６を除く長手方向Ｘの寸法がリテーナ４０の長さよりもわずかに大きく、かつ、幅方向の寸法がリテーナ４０の幅Ｗよりもわずかに大きく形成されている。つまり、リテーナ収容間口２５は、リテーナ支持体２６を除くと、正規の向きにあるリテーナ４０が通過できるようにその寸法が設定されている。
リテーナ支持体２６は、仮係止位置にあるリテーナ４０が接することで、リテーナ４０がリテーナ収容間口２５の奥へ押込まれるのを規制する。ただし、リテーナ収容間口２５が上記の開口寸法を有しているので、リテーナ４０は、リテーナ収容間口２５の中を、長手方向Ｘに移動可能である。リテーナ支持体２６は、本実施形態では矩形の平板としたが、仮係止位置でリテーナを支持するという機能を果たすことができるのであれば、他の形態、例えば、平面形状が三角形、台形の平板とすることができるし、円柱状の突起を後縁２５Ｂに沿った複数の個所に設けることもできる。
リテーナ４０は、リテーナ収容間口２５内にあってハウジング本体２１に保持されることで、サブ・アセンブリ３０がハウジング２０から抜け出るのを阻止する。このとき、リテーナ４０は本係止位置にある。なお、前述したように、リテーナ４０は、当初は仮係止位置に置かれるが、サブ・アセンブリ３０を収容キャビティ２４の所定位置まで挿入されると、本係止準備位置に一旦移動した後に、本係止位置に移動させることができる。本係止準備位置については後述する。なお、図１は、リテーナ４０が本係止位置にあってサブ・アセンブリ３０を抜け止めしている。
【００１８】
側壁２１Ｂ，２１Ｄには、各々、仮係止溝２７と本係止溝２８が形成されている。仮係止溝２７と本係止溝２８は、側壁２１Ｂ，２１Ｄの表裏を貫通する、矩形の貫通孔からなる。
仮係止溝２７は、リテーナ４０が仮係止位置にあるときに、そのロック爪４３が挿入されることで、リテーナ４０を保持する。仮係止溝２７は長手方向Ｘの寸法がロック爪４３よりも相当に幅広に形成されているので、リテーナ４０は、ロック爪４３が仮係止溝２７に係止されていても、仮係止溝２７とロック爪４３の差分だけ、長手方向Ｘに移動することができる。仮係止溝２７は、前側開口２２に近い側の前縁２７Ａと、後側開口２３に近い側の後縁２７Ｂとを備え、リテーナ４０が仮係止位置にあるときには、後縁２７Ｂにロック爪４３が突き当たる。リテーナ４０を本係止位置に移動させるには、ロック爪４３を前縁２７Ａに突き当たる本係止準備位置まで移動する。このように仮係止溝２７は、リテーナ４０が仮係止位置から本係止準備位置まで移動するガイドとして機能し、リテーナ４０の安定した移動を確保する。
本係止溝２８は、リテーナ４０が本係止位置にあるときに、そのロック爪４３が挿入されることで、リテーナ４０をハウジング本体２１に保持する。本係止溝２８は、長手方向Ｘの寸法が、必要なクリアランスを除くとロック爪４３と同寸法に形成されているので、リテーナ４０は、ロック爪４３が本係止溝２８に係止されると、長手方向Ｘの移動が規制される。
仮係止溝２７と本係止溝２８は、高さ方向Ｚに並んで形成されているので、リテーナ４０を押込むことで、ロック爪４３を仮係止溝２７から本係止溝２８に移行させることができる。ただし、本実施形態では、リテーナ４０を、仮係止位置から本係止準備位置に移動させてから、押込んで本係止位置に移動させる。
【００１９】
＜サブ・アセンブリ３０＞
サブ・アセンブリ３０は、図４及び図６に示すように、図示を省略する複数の端子金具、端子金具に各々接続される複数の電線を収容するサブ・ハウジング３１と、相手コネクタが嵌合される嵌合開口３２と、側相手側コネクタが複数の電線が束となって引き出される電線引出し口３３と、を備えている。サブ・アセンブリ３０は、嵌合開口３２の側からハウジング２０の収容キャビティ２４に挿入される。サブ・アセンブリ３０は、金属板に打ち抜き加工、折り曲げ加工を施すことによって形成されている。
【００２０】
サブ・ハウジング３１は、互いに対向する上壁３１Ａ，下壁３１Ｃと、上壁３１Ａと下壁３１Ｃの幅方向Ｙの両縁を繋ぐ一対の側壁３１Ｂ，３１Ｄとを備えている。下壁３１Ｃと各々の側壁３１Ｂ，３１Ｂの境界には、ロック爪３４が幅方向に張り出して形成されている。また、各々の側壁３１Ｂ，３１Ｂの上壁３１Ａに近い側には、作用爪（作用体）３５が幅方向に張り出して形成されている。ロック爪３４は、本係止位置のリテーナ４０に係止されることで、サブ・アセンブリ３０をハウジング２０から抜け止めする。また、作用爪３５は、サブ・アセンブリ３０をハウジング２０に挿入する際に、仮係止位置にあるリテーナ４０を押して本係止準備位置まで移動させる。
ロック爪３４、作用爪３５は、ともに、サブ・アセンブリ３０を作製する過程で、打ち抜き、折り曲げにより形成される。
【００２１】
＜リテーナ４０＞
リテーナ４０は、絶縁性の樹脂を射出成形することで形成され、図３に示されるように、所定の間隔を隔てて配置される一対のロックアーム４１と、一対のロックアーム４１を繋ぐ連結梁４２と、を備える。
各々のロックアーム４１の先端には、幅方向の外側に向けて突出するロック爪４３が形成されている。ロック爪４３は、リテーナ４０が仮係止位置にあるときには、仮係止溝２７に挿入されることで、ハウジング本体２１に係止され、リテーナ４０が本係止位置にあるときには、本係止溝２８に挿入されることで、ハウジング本体２１に係止される。ロック爪４３の一方の側面は、リテーナ４０が本係止位置にあるときに、ロック爪３４が係止される本係止面４４をなす。ロックアーム４１の内側の面には、サブ・アセンブリ３０をハウジング２０に挿入する際に、サブ・アセンブリ３０のロック爪３４からの荷重が作用する受け面４５が、通路４６の奥に形成されている。ロック爪３４は、通路４６を通ってから受け面４５に突き当たり、リテーナ４０を押して本係止準備位置に移動させる。
リテーナ４０は、一対のロックアーム４１を備えているが、いずれか一方のみでもサブ・アセンブリ３０の抜け止めを行なうことができる。
また、本実施形態では、リテーナ４０にロック爪４３を設ける一方、ハウジング２０に仮係止溝２７及び本係止溝２８を設けたが、仮係止溝２７及び本係止溝２８に相当する部位をリテーナ４０に設ける一方、ロック爪４３に相当する部位をハウジング２０に設けてもよい。
【００２２】
次に、アセンブリ１０の組み付け手順を図５〜図７も参照して説明する。
組み付け前にあたって、図５、図６に示すように、仮係止位置でリテーナ４０が保持されるハウジング２０と、サブ・アセンブリ３０と、が用意される。このときリテーナ４０は、ロックアーム４１の各々のロック爪４３が、ハウジング２０の仮係止溝２７に挿入される。リテーナ４０は、リテーナ収容間口２５の後縁２５Ｂに寄せられている一方、連結梁４２の背面がリテーナ支持体２６により支持されている。したがって、リテーナ４０を本係止位置に向けて押込むことは困難である。ただし、前縁２５Ａに向けたリテーナ４０の移動は前述したように許容されている。
【００２３】
サブ・アセンブリ３０を、後側開口２３からハウジング本体２１の収容キャビティ２４に挿入する。
サブ・アセンブリ３０を、収容キャビティ２４の奥（前側開口２２側）に向けて押込んでいくと、サブ・アセンブリ３０の作用爪３５が、リテーナ４０の受け面４５に突き当たり、さらにサブ・アセンブリ３０を押込むと、リテーナ４０は前方に向けて平行移動する。サブ・アセンブリ３０を所定の位置まで押込むと、図７に示すように、リテーナ４０は、本係止準備位置まで移動され、リテーナ支持体２６による連結梁４２の支持がなくなる。ただし、このときもリテーナ４０のロック爪４３はハウジング本体２１の仮係止溝２７に挿入されている。本実施形態では、作用爪３５と受け面４５を設け、荷重が作用する部位を特定したので、サブ・アセンブリ３０からリテーナ４０への荷重の伝達を確実に行なうことができる。
【００２４】
本係止準備位置にあるリテーナ４０をサブ・アセンブリ３０を介して押込むと、リテーナ４０はリテーナ収容間口２５の奥に向けて進む。この過程で、リテーナ４０のロック爪４３は、仮係止溝２７から離脱した後に、本係止溝２８に入り、リテーナ４０は本係止位置に到達し、図１に示すように、アセンブリ１０の組み付けは終了する。そうすると、リテーナ４０の本係止面４４（ロック爪４３の側面）に、サブ・アセンブリ３０のロック爪３４が係止される。一方、リテーナ４０のロック爪４３がハウジング２０の本係止溝２８に挿入され、リテーナ４０は長手方向Ｘへの移動が規制されるため、サブ・アセンブリ３０は後側開口２３に向けて抜け止めされる。
【００２５】
以上説明したように、本実施形態のアセンブリ１０は、ハウジング２０に仮係止位置にあるリテーナ４０を支持するリテーナ支持体２６を備えているので、リテーナ４０が誤って本係止位置に押込まれるおそれがない。したがって、アセンブリ１０によると、リテーナ４０を仮係止位置へ戻すという余分な作業が発生しない。
また、アセンブリ１０は、サブ・アセンブリ３０を挿入する作業に伴って、リテーナ支持体２６による支持が解除されるとともに、仮係止位置にあるリテーナ４０が本係止準備位置に移動する。したがって、リテーナ４０を仮係止位置から本係止準備位置に移動させる作業を別途行なうのに比べて、アセンブリ１０の組み付け作業が、サブ・アセンブリ３０の挿入、及び、リテーナ４０を本係止準備位置から本係止位置への移動、という二つのステップで足りるので、効率がよい。
【００２６】
以上、アセンブリ１０を例にして本発明を説明したが、本発明の主旨を逸脱しない限り、上記実施形態で挙げた構成を取捨選択したり、他の構成に適宜変更することが可能である。
例えば、サブ・アセンブリ３０の抜け止めを目的としたリテーナ４０について説明したが、電気コネクタを構成する他の要素、例えばインナ・ハウジングなどと称される部材、あるいは、端子金具の抜け止めを目的としたリテーナを備えるコネクタに適用することができる。この場合も、仮係止位置にあるリテーナを支持する支持体を備えること、当該部材を挿入する作業に伴って、当該支持体による支持が解除されるとともに、仮係止位置にあるリテーナが本係止準備位置に移動すること、が備わっていればよい。
【００２７】
本実施形態では、サブ・アセンブリ３０に設けたロック爪３４、作用爪３５は、高さ方向Ｚに沿って切り込みを入れて形成しているが、これに限らず長手方向Ｘに沿って切り込みを入れて形成してもよい。ただし、本実施形態の向きに形成すると、サブ・アセンブリ３０が挿入される向きに対する剛性が大きくなるので、サブ・アセンブリ３０の抜け止め、及び、サブ・アセンブリ３０を仮係止位置から本係止準備位置への押込みにとって有利である。
【００２８】
本実施形態では、本係止位置にあるリテーナ４０は、リテーナ収容間口２５の前縁２５Ａとの間に隙間なく配置されているが、当該部分に隙間があってもよい。ただし、アセンブリ１０の内部に異物が進入するのを極力防ぐことを考慮すると、本実施形態のように隙間をなくすことが好ましい。
【符号の説明】
【００２９】
１０    センブリ
２０    ハウジング
２１    ハウジング本体
２１Ａ  上壁
２１Ｂ，２１Ｄ  側壁
２１Ｃ  下壁
２２    前側開口
２３    後側開口
２４    収容キャビティ
２５    リテーナ収容間口
２５Ａ  前縁
２５Ｂ  後縁
２６    リテーナ支持体
２７    仮係止溝
２７Ａ  前縁
２７Ｂ  後縁
２８    本係止溝
３０    サブ・アセンブリ
３１    サブ・ハウジング
３１Ａ  上壁
３１Ｂ，３１Ｄ  側壁
３１Ｃ  下壁
３２    嵌合開口
３３    電線引出し口
３４    ロック爪
３５    作用爪
４０    リテーナ
４１    ロックアーム
４２    連結梁
４３    ロック爪
４４    本係止面
４５    受け面
４６    通路
【図１】
2014035889.tif 000003
【図２】
2014035889.tif 000004
【図３】
2014035889.tif 000005
【図４】
2014035889.tif 000006
【図５】
2014035889.tif 000007
【図６】
2014035889.tif 000008
【図７】
2014035889.tif 000009